(57)【特許請求の範囲】
【請求項１】
情報を表示領域に表示する表示装置であり、
利用者により前記表示領域に近づけられたＩＣタグからそのＩＣタグの識別子を読み出す識別子読出部と、
前記識別子読出部が識別子を読み出したＩＣタグが近づけられた前記表示領域における位置を特定する位置特定部と、
前記表示領域における前記位置特定部が特定した位置に応じた位置に、情報を入力するための入力画面であって、前記ＩＣタグに対応する入力画面を表示する入力画面表示部と、
前記入力画面表示部が表示した入力画面にＩＣタグを近づけて前記入力画面が操作されると、近づけられたＩＣタグからそのＩＣタグの識別子を読み出して、読み出した識別子と、前記識別子読出部が読み出した識別子とが同じ場合には、前記入力画面が操作されて入力された情報を取得する入力情報取得部と
を備えることを特徴とする表示装置。
【請求項２】
前記表示装置は、さらに、
前記表示装置の周辺の画像情報を取得する画像情報取得部と、
前記画像情報取得部が取得した画像情報に基づき、前記入力画面の周辺の画像情報を、前記表示領域における前記入力画面の周辺に表示する周辺画像表示部と
を備えることを特徴とする請求項１に記載の表示装置。
【請求項３】
前記周辺画像表示部は、前記利用者の画像を表示するとともに、前記利用者以外の画像を、前記利用者の画像と区別して表示する
ことを特徴とする請求項２に記載の表示装置。
【請求項４】
前記表示装置は、さらに、
前記画像情報取得部が取得した画像情報に基づき、前記利用者以外の人の視線を特定する視線特定部と、
前記視線特定部が特定した視線が前記入力画面に向いている場合に、前記利用者へ警告を出力する警告出力部と
を備えることを特徴とする請求項３に記載の表示装置。
【請求項５】
前記表示装置は、さらに、
前記表示領域における前記入力画面を表示した領域以外の少なくとも一部の領域に所定の情報を表示する情報表示部と、
前記表示領域から音を出力する音出力部であって、前記情報表示部が前記所定の情報を表示した領域から前記所定の情報に応じた音を出力し、前記入力画面を表示した領域から前記利用者向けの音を出力する音出力部と
を備えることを特徴とする請求項１から４までのいずれかに記載の表示装置。
【請求項６】
前記音出力部は、前記入力画面を表示した領域から前記利用者向けの音とともに、前記所定の情報に応じた音と逆位相の音を出力する
ことを特徴とする請求項５に記載の表示装置。
【請求項７】
前記表示装置は、さらに、
前記表示領域の一面に配置された複数のアンテナ
を備え、
前記識別子読出部は、前記複数のアンテナのうちいずれかのアンテナにより前記識別子
を読み出し、
前記位置特定部は、前記複数のアンテナのうちどのアンテナにより前記識別子が読み出されたかにより、前記ＩＣタグが近づけられた位置を特定する
ことを特徴とする請求項５又は６に記載の表示装置。
【請求項８】
前記音出力部は、前記アンテナを利用して音を出力する
ことを特徴とする請求項７に記載の表示装置。
【請求項９】
情報を表示領域に表示する表示装置の表示プログラムであり、
利用者により前記表示領域に近づけられたＩＣタグからそのＩＣタグの識別子を読み出す識別子読出処理と、
前記識別子読出処理で識別子を読み出したＩＣタグが近づけられた前記表示領域における位置を特定する位置特定処理と、
前記表示領域における前記位置特定処理で特定した位置に応じた位置に、情報を入力するための入力画面であって、前記ＩＣタグに対応する入力画面を表示する入力画面表示処理と、
前記入力画面表示処理で表示した入力画面にＩＣタグを近づけて前記入力画面が操作されると、近づけられたＩＣタグからそのＩＣタグの識別子を読み出して、読み出した識別子と、前記識別子読出処理で読み出した識別子とが同じ場合には、前記入力画面が操作されて入力された情報を取得する入力情報取得処理と
をコンピュータに実行させることを特徴とする表示プログラム。
【発明の詳細な説明】
【技術分野】
【０００１】
この発明は、情報を入力可能な表示装置に関する。
【背景技術】
【０００２】
ショッピングモール等には、ショッピングモール内の店舗に関する情報等が随時切り替わって表示される大型の表示装置（デジタルサイネージ端末）が設置されている。また、ショッピングモールには、表示装置とは別に、そのショッピングモール内の店舗で利用できるポイント残高を表示することや、ポイントに応じたチケットを発券するポイント端末が設置されている。
【０００３】
表示装置の表示領域を入力装置として用いることについての提案がされている（特許文献１−３参照）。
【先行技術文献】
【特許文献】
【０００４】
【特許文献１】特開２０１０−７４４０１号公報
【特許文献２】特開２００３−１６２６９３号公報
【特許文献３】特開２０００−６６８４０号公報
【発明の概要】
【発明が解決しようとする課題】
【０００５】
特許文献１−３に記載された方法は、利用者の位置に応じて、大型の表示装置における利用者が入力しやすい位置を入力装置にするものではない。
この発明は、利用者の位置に応じて、表示装置における利用者が入力しやすい位置を入力装置とし、利用者の利便性を高めることを目的とする。
【課題を解決するための手段】
【０００６】
この発明に係る表示装置は、
情報を表示領域に表示する表示装置であり、
利用者により前記表示領域に近づけられたＩＣタグからそのＩＣタグの識別子を読み出す識別子読出部と、
前記識別子読出部が識別子を読み出したＩＣタグが近づけられた前記表示領域における位置を特定する位置特定部と、
前記表示領域における前記位置特定部が特定した位置に応じた位置に、情報を入力するための入力画面を表示する入力画面表示部と、
前記入力画面表示部が表示した入力画面を操作することにより入力された情報を取得する入力情報取得部と
を備えることを特徴とする。
【０００７】
前記入力情報取得部は、前記利用者が前記入力画面を前記ＩＣタグを近づけて操作することにより入力された情報を取得する
ことを特徴とする。
【０００８】
前記表示装置は、さらに、
前記表示装置の周辺の画像情報を取得する画像情報取得部と、
前記画像情報取得部が取得した画像情報に基づき、前記入力画面の周辺の画像情報を、前記表示領域における前記入力画面の周辺に表示する周辺画像表示部と
を備えることを特徴とする。
【０００９】
前記周辺画像表示部は、前記利用者の画像を表示するとともに、前記利用者以外の画像を、前記利用者の画像と区別して表示する
ことを特徴とする。
【００１０】
前記表示装置は、さらに、
前記画像情報取得部が取得した画像情報に基づき、前記利用者以外の人の視線を特定する視線特定部と、
前記視線特定部が特定した視線が前記入力画面に向いている場合に、前記利用者へ警告を出力する警告出力部と
を備えることを特徴とする。
【００１１】
前記表示装置は、さらに、
前記表示領域における前記入力画面を表示した領域以外の少なくとも一部の領域に所定の情報を表示する情報表示部と、
前記表示領域から音を出力する音出力部であって、前記情報表示部が前記所定の情報を表示した領域から前記所定の情報に応じた音を出力し、前記入力画面を表示した領域から前記利用者向けの音を出力する音出力部と
を備えることを特徴とする。
【００１２】
前記音出力部は、前記入力画面を表示した領域から前記利用者向けの音とともに、前記所定の情報に応じた音と逆位相の音を出力する
ことを特徴とする。
【００１３】
前記表示装置は、さらに、
前記表示領域の一面に配置された複数のアンテナ
を備え、
前記識別子読出部は、前記複数のアンテナのうちいずれかのアンテナにより前記識別子を読み出し、
前記位置特定部は、前記複数のアンテナのうちどのアンテナにより前記識別子が読み出されたかにより、前記ＩＣタグが近づけられた位置を特定する
ことを特徴とする。
【００１４】
前記音出力部は、前記アンテナを利用して音を出力する
ことを特徴とする。
【００１５】
この発明に係る表示プログラムは、
情報を表示領域に表示する表示装置の表示プログラムであり、
利用者により前記表示領域に近づけられたＩＣタグからそのＩＣタグの識別子を読み出す識別子読出処理と、
前記識別子読出処理で識別子を読み出したＩＣタグが近づけられた前記表示領域における位置を特定する位置特定処理と、
前記表示領域における前記位置特定処理で特定した位置に応じた位置に、情報を入力するための入力画面を表示する入力画面表示処理と、
前記入力画面表示処理で表示した入力画面を操作することにより入力された情報を取得する入力情報取得処理と
をコンピュータに実行させることを特徴とする。
【発明の効果】
【００１６】
この発明に係る表示装置は、ＩＣタグが近づけられた位置に応じた位置に入力画面を表示することができる。そのため、利用者が入力しやすい位置に入力画面が表示され、利用者の利便性が高い。
【図面の簡単な説明】
【００１７】
【図１】実施の形態１に係る表示装置１の構成の概要を説明するための図。
【図２】実施の形態１に係る表示装置１の動作の概要を説明するための図。
【図３】実施の形態１に係る表示装置１の動作の概要を説明するための図。
【図４】実施の形態１に係る表示装置１の構成図。
【図５】実施の形態２に係る表示装置１の動作の概要を説明するための図。
【図６】実施の形態２に係る表示装置１の動作の概要を説明するための図。
【図７】実施の形態２に係る表示装置１の構成図。
【図８】実施の形態３に係る表示装置１の構成の概要を説明するための図。
【図９】実施の形態３に係る表示装置１の動作の概要を説明するための図。
【図１０】実施の形態３に係る表示装置１の動作の概要を説明するための図。
【図１１】実施の形態３に係る表示装置１の構成図。
【図１２】実施の形態４に係る位置特定部１１１の動作の説明図。
【図１３】実施の形態５に係る表示装置１の構成図。
【図１４】表示装置１のハードウェア構成の一例を示す図。
【発明を実施するための形態】
【００１８】
以下、図に基づき、この発明の実施の形態について説明する。
以下の説明において、処理装置は後述するＣＰＵ９１等である。通信装置は後述する通信ボード９１６等である。つまり、処理装置、通信装置はいずれもハードウェアである。
【００１９】
ここでは、ショッピングモールに表示装置１が設置されており、表示装置１が縦１．５メートル横２メートル程度の表示領域２を有する場合を例として説明する。もちろん、表示装置１は、駅、街頭、劇場等の他の場所に設置されていてもよい。また、表示装置１は、表示領域２がもっと大きくてももっと小さくてもよい。
【００２０】
実施の形態１．
実施の形態１では、利用者が入力しやすい位置に入力画面を表示する表示装置１について説明する。
【００２１】
図１は、実施の形態１に係る表示装置１の構成の概要を説明するための図である。
表示装置１が備える表示領域２には、ＩＣ（Ｉｎｔｅｇｒａｔｅｄ  Ｃｉｒｃｕｉｔ）タグから識別子を読み出す複数のアンテナ３が一面に設けられている。アンテナ３は、表示領域２を構成する複数のパネルの背面側に設けられており、正面からは見えないように設けられている。
【００２２】
図２、図３は、実施の形態１に係る表示装置１の動作の概要を説明するための図である。特に、図２は、ＩＣカード５を有する利用者４を示す図である。図３は、入力画面６を示す図である。
表示装置１は、通常、ショッピングモール内の店舗の情報や、ショッピングモールの案内図等を随時切り替えながら表示領域２に表示している。
ここで、図２に示すように、ＩＣタグを有するＩＣカード５を持った利用者４がＩＣカード５を表示領域２の任意の場所に近づける。すると、表示装置１は、表示領域２に設けられた複数のアンテナ３のうち、いずれかのアンテナ３によってＩＣカード５が有するＩＣタグから識別子を読み取る。例えば、表示装置１は、アンテナ３から発射された電波の反射波に載せたＩＣタグの識別子を読み取る。表示装置１は、どのアンテナ３により識別子を読み取ったかにより、表示領域２のどの辺りにＩＣカード５が近づけられたかを特定する。そして、表示装置１は、図３に示すように、特定した位置に入力画面６を表示する。利用者４は、入力画面６を操作して、所定の情報を入力する。
なお、この際、元々表示していた情報は、入力画面６を表示した部分以外のみ継続して表示させてもよいし、消してしまってもよいし、入力画面６を表示した部分を避け縮小して表示させてもよい。
ＩＣカード５を近づけた位置は、利用者４の手が容易に届く位置であることは明らかである。したがって、ＩＣカード５を近づけた位置に入力画面６を表示することにより、利用者４が入力しやすい位置に入力画面６が表示されることになる。そのため、利用者４の利便性が高い。
【００２３】
図４は、実施の形態１に係る表示装置１の構成図である。
表示装置１は、上述した複数のアンテナ３に加え、データ取得部１０、特定部１１、表示部１２を備える。
データ取得部１０は、識別子読出部１０１、入力情報取得部１０２を備える。識別子読出部１０１は、いずれかのアンテナ３により、表示領域２に近づけられたＩＣカード５が有するＩＣタグから識別子を読み出す。入力情報取得部１０２は、表示領域２に表示された入力画面６を利用者４が操作して入力された入力情報を取得する。
特定部１１は、位置特定部１１１を備える。位置特定部１１１は、識別子読出部１０１がどのアンテナ３により識別子を読み出したかに応じて、ＩＣカード５が近づけられた位置を処理装置により特定する。例えば、位置特定部１１１は、予め各アンテナ３の位置を記憶しておき、記憶した位置を利用してＩＣカード５が近づけられた位置を特定する。
表示部１２は、情報表示部１２１、入力画面表示部１２２を備える。情報表示部１２１は、ショッピングモール内の店舗の情報や、ショッピングモールの案内図等を随時切り替えながら表示領域２に表示する。入力画面表示部１２２は、位置特定部１１１が特定した位置に入力画面６を表示する。
【００２４】
以上のように、実施の形態１に係る表示装置１は、ＩＣカード５を近づけた位置に入力画面６を表示するため、利用者４が入力しやすく、利用者４の利便性が高い。
【００２５】
実施の形態２．
実施の形態２では、複数の利用者４が同時に表示装置１から情報を入力する場合について説明する。
【００２６】
図５、図６は、実施の形態２に係る表示装置１の動作の概要を説明するための図である。特に、図５は、ＩＣカード５を有する利用者４を示す図である。図６は、入力画面６を示す図である。
表示装置１は、通常、ショッピングモール内の店舗の情報や、ショッピングモールの案内図等を随時切り替えながら表示領域２に表示している。
ここで、図５に示すように、ＩＣタグを有するＩＣカード５ａを持った利用者４ａがＩＣカード５ａを表示領域２の任意の場所に近づける。すると、表示装置１は、いずれかのアンテナ３によってＩＣカード５ａが有するＩＣタグから識別子を読み取り、表示領域２のどの辺りに近づけられたかを特定して、図６に示すように特定した位置に入力画面６ａを表示する。
また、入力画面６ａが表示されている際に、ＩＣタグを有するＩＣカード５ｂを持った利用者４ｂがＩＣカード５ｂを表示領域２の任意の場所に近づける。すると、表示装置１は、いずれかのアンテナ３によってＩＣカード５ｂが有するＩＣタグから識別子を読み取り、表示領域２のどの辺りに近づけられたかを特定して、図６に示すように特定した位置に入力画面６ｂを表示する。つまり、入力画面６ａと入力画面６ｂとが同時に表示される。
そして、利用者４ａは、入力画面６ａをＩＣカード５ａにより操作して、所定の情報を入力する。例えば、利用者４ａは、入力画面６ａ内のボタンにＩＣカード５ａを近づける、あるいは、触れることにより、入力画面６ａをＩＣカード５ａにより操作する。同様に、利用者４ｂは、入力画面６ｂをＩＣカード５ｂにより操作して、所定の情報を入力する。
表示装置１は、利用者４が入力画面６をＩＣカード５により操作することで、入力された情報とともに、その情報を入力したＩＣカード５の識別子を取得することができる。そのため、複数の入力画面６を同時に表示している場合であっても、どの利用者４が入力した情報であるかを識別することが可能である。
【００２７】
図７は、実施の形態２に係る表示装置１の構成図である。
図７に示す表示装置１は、入力情報取得部１０２がアンテナ３を介して入力情報とＩＣタグの識別子とを同時に取得している点が、図４に示す表示装置１と異なる。入力情報取得部１０２は、取得した識別子と、入力画面６の表示前に識別子読出部１０１が読み出した識別子とを比較することにより、どの入力画面６から入力された入力情報であるかを特定する。他は、図４に示す表示装置１と同じである。
【００２８】
以上のように、実施の形態２に係る表示装置１は、入力画面６をＩＣカード５により操作させ、アンテナ３を介して入力情報とＩＣタグの識別子とを同時に取得する。これにより、複数の入力画面６を同時に表示して、複数の利用者４に同時に各入力画面６を操作させることが可能である。
【００２９】
実施の形態３．
実施の形態３では、利用者４が入力画面６から情報を入力する場合に、第三者による覗き込みを防止することについて説明する。
【００３０】
図８は、実施の形態３に係る表示装置１の構成の概要を説明するための図である。
図８に示す表示装置１は、図１に示す表示装置１に加え、カメラ等の撮像装置７を備えている。撮像装置７は、表示装置１の正面を周囲所定の範囲まで撮像可能なように設置されている。図８では、１台だけ撮像装置７が示されているが、複数の撮像装置７が設けられていてもよい。
【００３１】
図９、図１０は、実施の形態３に係る表示装置１の動作の概要を説明するための図である。特に、図９は、ＩＣカード５を有する利用者４と、第三者である他者８を示す図である。図１０は、入力画面６と、入力画面６の周囲に表示する情報とを示す図である。
表示装置１は、通常、ショッピングモール内の店舗の情報や、ショッピングモールの案内図等を随時切り替えながら表示領域２に表示している。
ここで、図９に示すように、ＩＣタグを有するＩＣカード５を持った利用者４が表示装置１の近くにおり、利用者４以外の他者８が利用者４の背後にいるとする。このとき、利用者４がＩＣカード５を表示領域２の任意の場所に近づける。すると、表示装置１は、いずれかのアンテナ３によってＩＣカード５が有するＩＣタグから識別子を読み取り、表示領域２のどの辺りに近づけられたかを特定する。そして、図１０に示すように、表示装置１は、表示領域２におけるＩＣカード５が近づけられた位置に応じた所定の位置に、入力画面６を表示する。ここで、ＩＣカード５を近づけた位置に応じた所定の位置とは、ＩＣカード５が近づけられた位置の付近であって、利用者４の影となり他者８からは利用者４によって見えづらい位置である。撮像装置７により撮像された利用者４と他者８との画像情報から、利用者４の影となる位置を特定することができる。また、表示装置１は、撮像装置７により撮像された利用者４を示す画像情報と、利用者４の背後にいる他者８を示す画像情報とを表示領域２における利用者４や他者８に対応する位置に表示する。利用者４の画像情報と他者８の画像情報とは、区別されて表示される。そして、利用者４は、入力画面６を操作して、所定の情報を入力する。
なお、この際、元々表示していた情報は、入力画面６を表示した部分や利用者４、他者８の画像情報を表示した表示部分以外のみ継続して表示させてもよいし、消してしまってもよいし、前記表示部分を避け縮小して表示させてもよい。
このように、利用者４の影に隠れるような位置に入力画面６を表示するため、他者８に覗き込みされることを防止でき、暗証番号等の秘匿性の高い情報であっても入力することができる。
【００３２】
また、表示装置１は、入力画面６を表示している際、撮像装置７が撮像した画像情報から、他者８の顔の位置や、視線の方向を特定して、他者８が入力画面６を覗き込んでいないか否かを判定する。そして、他者８が入力画面６を覗き込んでいる場合には、警告を表示領域２に表示する。この警告は、入力画面６を表示した位置付近の利用者４にのみ見える位置に表示してもよいし、敢えて他者８にも見える位置に表示してもよい。
これにより、利用者４に暗証番号を覗き見られないように注意を促すことができる。また、他者８にも警告を見せることにより、覗き込みを抑止することができる。
【００３３】
図１１は、実施の形態３に係る表示装置１の構成図である。
図１１に示す表示装置１は、撮像装置７を備える点、データ取得部１０が画像取得部１０３を備える点、特定部１１が視線特定部１１２を備える点、表示部１２が周辺画像表示部１２３、警告表示部１２４（警告出力部）を備える点が図７に示す表示装置１と異なる。また、入力画面表示部１２２の動作が異なる。他は、図７に示す表示装置１と同じである。
画像取得部１０３は、撮像装置７により撮像された画像情報を取得する。視線特定部１１２は、画像取得部１０３が取得した画像情報から、他者８の頭の位置や視線の方向を特定して、他者８が入力画面６を覗き込んでいないか否かを処理装置により判定する。周辺画像表示部１２３は、画像取得部１０３が取得した画像情報のうち、利用者４や他者８を示す情報を表示領域２に表示する。警告表示部１２４は、他者８が入力画面６を覗き込んでいると視線特定部１１２が判定した場合は、警告を表示領域２に表示する。
また、入力画面表示部１２２は、位置特定部１１１が特定した位置と、画像取得部１０３が取得した画像情報とから、他者８から見えづらい位置を特定して、特定した位置に入力画面６を表示する。
【００３４】
以上のように、実施の形態３に係る表示装置１は、入力画面６を利用者４の背後にいる他者８から見えづらい位置に表示する。そのため、他者８が覗き込みすることを防止できる。
また、実施の形態３に係る表示装置１は、他者８が入力画面６を覗き込んでいることを検出して、警告を表示する。そのため、他者８が覗き込みすることを防止できる。
また、実施の形態３に係る表示装置１は、入力画面６とともに、利用者４自身と背後にいる他者８との画像情報を表示する。そのため、利用者４が背後にいる他者８の行動を見ながら、他者８に覗き込まれていないか確認しながら、入力画面６を操作できる。したがって、入力情報を他者８に読み取られることを防止できる。
【００３５】
なお、上記説明では、警告を表示するとした。しかし、警告を音声等により通知してもよい。この音声は、利用者４だけに聞こえるようにしてもよいし、利用者４だけでなく、他者８にも聞こえるようにしてもよい。
【００３６】
また、入力画面６を表示している部分のみ、正面からのみ表示情報が見えるようにして、上下左右からは表示情報が見えないようにしてもよい。
【００３７】
実施の形態４．
実施の形態４では、表示装置１が備えるアンテナ３の数を減らす方法について説明する。
【００３８】
図１に示すように、多数のアンテナ３を表示領域２全面に設置しておき、位置特定部１１１はどのアンテナ３が識別子を読み取ったかにより、ＩＣカード５の位置を特定してもよい。しかし、この場合、多くのアンテナ３を表示領域２に設置しなければならない。
【００３９】
図１２は、実施の形態４に係る位置特定部１１１の動作の説明図である。
図１２では、所定の間隔を開けて、少数のアンテナ３を表示領域２の全面に設置している。そして、位置特定部１１１は、いくつかのアンテナ３が識別子を読み取った電波の強さによってＩＣカード５の位置を特定する。
例えば、図１２では、ＩＣカード５が描かれている位置にＩＣカード５が近づけられたとする。この場合、この位置の周囲にある４つのアンテナ３によってＩＣカード５の識別子が読み取られる。ここでは、４つのアンテナ３にそれぞれＡ〜Ｄの符号を付している。この際、アンテナ３からＩＣカード５が近づけられた位置までの距離によって、識別子を乗せた反射波の電波の強度は異なる。ここでは、ＩＣカード５が近づけられた位置は、Ａ〜Ｄのアンテナ３のうち、Ａのアンテナ３に最も近く、次にＢ及びＣのアンテナ３に近く、そしてＤのアンテナ３が最も遠い。そのため、反射波の電波の強度は、Ａのアンテナ３が６で最も強く、次にＢ及びＣのアンテナ３が３で強く、そしてＤのアンテナ３が２で最も弱い。位置特定部１１１は、この４つのアンテナ３が受信した電波の強度から、ＩＣカード５が近づけられた位置を特定することができる。
【００４０】
以上のように、実施の形態４に係る表示装置１は、少ない数のアンテナ３により、ＩＣカード５が近づけられた位置を特定できる。そのため、低コストで表示装置１を製造することが可能となる。
【００４１】
実施の形態５．
実施の形態５では、表示装置１を利用して、オペレータ等と通話することについて説明する。
【００４２】
ここでは、アンテナ３は、コイルアンテナであり、ＩＣカード５から識別子を読み出すだけでなく、音声を出力するスピーカにも、音声を入力するマイクにもなるとする。
【００４３】
図１０に示すように、入力画面６が表示されているとする。このとき、例えば、利用者４が入力画面６におけるオペレータへの問合せボタンを操作したとする。すると、表示装置１は、通信装置を介して、オペレータが使用する端末と接続される。そして、オペレータからの音声をアンテナ３がスピーカとなって出力する。特に、この際、元々表示していた店舗の情報等を表示している場合には、入力画面６の部分にあるアンテナ３、あるいは、利用者４の顔の付近にあるアンテナ３（以下、特定アンテナと呼ぶ）からのみオペレータからの音声を出力し、他のアンテナ３からは店舗の情報等についての音声を出力する。さらに、特定アンテナからは、店舗の情報等についての音声と逆の位相の音声を出力し、他のアンテナ３からはオペレータからの音声と逆の位相の音声を出力する。また、利用者４がオペレータに向かって話しかけると、特定アンテナがマイクとなって受け付け、オペレータの端末へ送信する。
【００４４】
図１３は、実施の形態５に係る表示装置１の構成図である。
図１３に示す表示装置１は、通信装置９、音出力部１３、音入力部１４を備える点が図１１に示す表示装置１と異なる。他は、図１１に示す表示装置１と同じである。
音出力部１３は、通信装置９を介して、オペレータの端末からオペレータの音声を取得して、特定アンテナをスピーカとして出力する。特に、音出力部１３は、特定アンテナからはオペレータの音声を出力するとともに、他のアンテナ３から出力される他の音声と逆の位相の音声を出力する。また、音出力部１３は、他のアンテナ３からは、前記他の音声を出力するとともに、オペレータの音声と逆の位相の音声を出力する。音入力部１４は、利用者４の音声を特定アンテナをマイクとして受け付け、通信装置９を介してオペレータの端末へ送信する。
【００４５】
以上のように、実施の形態５に係る表示装置１は、必要に応じて利用者４とオペレータ等との通話を可能にする。特に、表示領域２の全面に設けられたアンテナ３をスピーカやマイクとして利用するため、別途スピーカやマイクを設ける必要がない。
また、実施の形態５に係る表示装置１は、オペレータの音声を出力するアンテナ３と、他の音声を出力するアンテナ３とを分け、互いに他方の音声と逆位相の音声も合わせて出力する。そのため、クリアな音声を利用者４に聞かせることができるとともに、オペレータの音声を他者８に聞かせることがない。
【００４６】
なお、アンテナ３をスピーカやマイクとせず、別途表示領域２の全面にスピーカやマイクを設けてもよい。
【００４７】
以上の実施の形態に係る表示装置１は、単に情報を表示するだけでなく、入力画面６から様々な情報を入力することができるので、様々な機能を合わせて持たせることができる。
例えば、表示装置１に発券機を加えることにより、デジタルサイネージ端末と、ショッピングモールで利用できるポイントに応じたチケットを発券するポイント端末とを兼ねた端末とすることができる。また、表示装置１に現金の入出力口を設けることにより、デジタルサイネージ端末と、銀行のＡＴＭ（Ａｕｔｏｍａｔｅｄ  Ｔｅｌｌｅｒ  Ｍａｃｈｉｎｅ）とを兼ねた端末とすることもできる。
【００４８】
図１４は、表示装置１のハードウェア構成の一例を示す図である。
図１４に示すように、表示装置１は、プログラムを実行するＣＰＵ９１１（Ｃｅｎｔｒａｌ・Ｐｒｏｃｅｓｓｉｎｇ・Ｕｎｉｔ、中央処理装置、処理装置、演算装置、マイクロプロセッサ、マイクロコンピュータ、プロセッサともいう）を備えている。ＣＰＵ９１１は、バス９１２を介してＲＯＭ９１３、ＲＡＭ９１４、ＬＣＤ９１５（Ｌｉｑｕｉｄ  Ｃｒｙｓｔａｌ  Ｄｉｓｐｌａｙ）（表示領域２の一例）、通信ボード９１６（通信装置９の一例）、コイルアンテナ９１７（アンテナ３の一例）、カメラ９１８（撮像装置７の一例）、磁気ディスク装置９２０と接続され、これらのハードウェアデバイスを制御する。磁気ディスク装置９２０（固定ディスク装置）の代わりに、光ディスク装置、メモリカード読み書き装置などの記憶装置でもよい。磁気ディスク装置９２０は、所定の固定ディスクインタフェースを介して接続される。
【００４９】
磁気ディスク装置９２０又はＲＯＭ９１３などには、オペレーティングシステム９２１（ＯＳ）、ウィンドウシステム９２２、プログラム群９２３、ファイル群９２４が記憶されている。プログラム群９２３のプログラムは、ＣＰＵ９１１、オペレーティングシステム９２１、ウィンドウシステム９２２により実行される。
【００５０】
プログラム群９２３には、上記の説明において「データ取得部１０」、「特定部１１」、「表示部１２」、「音出力部１３」、「音入力部１４」等として説明した機能を実行するソフトウェアやプログラムやその他のプログラムが記憶されている。プログラムは、ＣＰＵ９１１により読み出され実行される。
ファイル群９２４には、上記の説明において「識別子」、「入力情報」、「画像情報」等の情報やデータや信号値や変数値やパラメータが、「ファイル」や「データベース」の各項目として記憶される。「ファイル」や「データベース」は、ディスクやメモリなどの記録媒体に記憶される。ディスクやメモリなどの記憶媒体に記憶された情報やデータや信号値や変数値やパラメータは、読み書き回路を介してＣＰＵ９１１によりメインメモリやキャッシュメモリに読み出され、抽出・検索・参照・比較・演算・計算・処理・出力・印刷・表示などのＣＰＵ９１１の動作に用いられる。抽出・検索・参照・比較・演算・計算・処理・出力・印刷・表示のＣＰＵ９１１の動作の間、情報やデータや信号値や変数値やパラメータは、メインメモリやキャッシュメモリやバッファメモリに一時的に記憶される。
【００５１】
また、上記の説明において「〜部」として説明するものは、「〜回路」、「〜装置」、「〜機器」、「〜手段」、「〜機能」であってもよく、また、「〜ステップ」、「〜手順」、「〜処理」であってもよい。また、「〜装置」として説明するものは、「〜回路」、「〜機器」、「〜手段」、「〜機能」であってもよく、また、「〜ステップ」、「〜手順」、「〜処理」であってもよい。さらに、「〜処理」として説明するものは「〜ステップ」であっても構わない。すなわち、「〜部」として説明するものは、ＲＯＭ９１３に記憶されたファームウェアで実現されていても構わない。或いは、ソフトウェアのみ、或いは、素子・デバイス・基板・配線などのハードウェアのみ、或いは、ソフトウェアとハードウェアとの組み合わせ、さらには、ファームウェアとの組み合わせで実施されても構わない。ファームウェアとソフトウェアは、プログラムとして、ＲＯＭ９１３等の記録媒体に記憶される。プログラムはＣＰＵ９１１により読み出され、ＣＰＵ９１１により実行される。すなわち、プログラムは、上記で述べた「〜部」としてコンピュータ等を機能させるものである。あるいは、上記で述べた「〜部」の手順や方法をコンピュータ等に実行させるものである。
【符号の説明】
【００５２】
１  表示装置、２  表示領域、３  アンテナ、４  利用者、５  ＩＣカード、６  入力画面、７  撮像装置、８  他者、９  通信装置、１０  データ取得部、１１  特定部、１２  表示部、１３  音出力部、１４  音入力部、１０１  識別子読出部、１０２  入力情報取得部、１０３  画像取得部、１１１  位置特定部、１１２  視線特定部、１２１  情報表示部、１２２  入力画面表示部、１２３  周辺画像表示部、１２４  警告表示部。
【図１】
0005462825.tif 000002
【図２】
0005462825.tif 000003
【図３】
0005462825.tif 000004
【図４】
0005462825.tif 000005
【図５】
0005462825.tif 000006
【図６】
0005462825.tif 000007
【図７】
0005462825.tif 000008
【図８】
0005462825.tif 000009
【図９】
0005462825.tif 000010
【図１０】
0005462825.tif 000011
【図１１】
0005462825.tif 000012
【図１２】
0005462825.tif 000013
【図１３】
0005462825.tif 000014
【図１４】
0005462825.tif 000015